(57)【要約】      （修正有）【課題】喫煙品用の取り付け可能なユニットのためのパッケージにおいて喫煙品を取り付け可能なユニットを解除自在に保持する。【解決手段】喫煙品を取り付け可能なユニット２０３を受ける受け部３０１と、受け部に対して配置された案内部３０６とを含む喫煙品用の取り付け可能なユニット２０３のためのパッケージにおいて、案内部には取り付け可能なユニットを受け口または受け部内に解除自在に保持するための把持機構３０７を含む。【選択図】図４
2020125158.tif 000002
【特許請求の範囲】
【請求項１】
取り付け可能なユニットが受けられる受け口または受け部と、
取り付け可能なユニットが受け口または受け部に受けられた際に取り付け可能なユニットを受け口または受け部内に解除自在に保持するための把持機構とを含む喫煙品用の取り付け可能なユニットのためのパッケージ。
【請求項２】
スリーブと、
このスリーブ内でスライド可能なトレイとをさらに含み、
このトレイは前記把持機構と、前記受け口または受け部とを含むことを特徴とする請求項１記載のパッケージ。
【請求項３】
受け口または受け部は、トレイの上部パネルに形成された凹部または切り欠きによって少なくとも一部が画定された受け開口部を含むことを特徴とする請求項１または２記載のパッケージ。
【請求項４】
上部パネルは、取り付け可能なユニットが受け口または受け部に受けられた際にトレイの底部パネルと平行になるように配置されることを特徴とする請求項３記載のパッケージ。
【請求項５】
上部パネルは、取り付け可能なユニットが受け口または受け部に受けられた際にトレイの底部パネルと非平行になるように配置されることを特徴とする請求項３記載のパッケージ。
【請求項６】
トレイは複数の側部パネルを含むことを特徴とする請求項１乃至５いずれか１項記載のパッケージ。
【請求項７】
把持機構は、側部パネルの内の少なくとも１つを含むことを特徴とする請求項６記載のパッケージ。
【請求項８】
前記少なくとも１つの側部パネルは、少なくとも部分的に弾性的に変位可能であり、使用時、受け口または受け部に受けられた際に取り付け可能なユニットに付勢力を供することを特徴とする請求項６記載のパッケージ。
【請求項９】
前記側部パネルのそれぞれの少なくとも一部は、スリーブの側部パネルの高さより低い高さを有することを特徴とする請求項６乃至８いずれか１項記載のパッケージ。
【請求項１０】
スリーブは上部パネルを含み、トレイは、
底部パネルと、
トレイをスリーブ内でスライドさせるとスリーブに対して反力を供し、トレイの底部パネルをスリーブの上部パネルに対して実質的に平行になるように維持するように構成された案内部材とを含むことを特徴とする請求項６乃至９いずれか１項記載のパッケージ。
【請求項１１】
受け口または受け部は受け開口部を含み、把持機構は受け開口部に受けられた取り付け可能なユニットと係合するために受け開口部の縁部から延設されたタブを含むことを特徴とする請求項１乃至１０いずれか１項記載のパッケージ。
【請求項１２】
前記タブは少なくとも部分的に弾性的に変位可能であることを特徴とする請求項１１記載のパッケージ。
【請求項１３】
前記タブは受け口が形成されるパネルを形成する材料から形成されることを特徴とする請求項１１または１２記載のパッケージ。
【請求項１４】
タブは受け開口部の周囲内の材料で形成されることを特徴とする請求項１１、１２または１３記載のパッケージ。
【請求項１５】
各受け開口部用に１〜６個のタブを含む、または各受け開口部用に４つのタブを含むことを特徴とする請求項１１乃至１４いずれか１項記載のパッケージ。
【請求項１６】
把持機構は接着剤を含むことを特徴とする請求項１乃至１５いずれか１項記載のパッケージ。
【請求項１７】
所定の位置に取り付け可能なユニットを受けるための受け部と、
取り付け可能なユニットが喫煙品に取り付けられるように取り付け可能なユニットが受け部によって受けられた際に喫煙品を取り付け可能なユニットと整列するように受け部に対して配置された案内部とを含む喫煙品用の取り付け可能なユニットのためのパッケージ。
【請求項１８】
受け部は第１の面に位置する第１のシート材に形成され、案内部は前記第１の面から離れた第２の面に位置する第２シート材に形成されることを特徴とする請求項１７記載のパッケージ。
【請求項１９】
前記第１の面は第２の面と平行であることを特徴とする請求項１８記載のパッケージ。
【請求項２０】
受け部と案内部は共通の軸の中央に位置する円形の開口部であること特徴とする請求項１８または１９記載のパッケージ。
【請求項２１】
前記共通の軸は第１および／または第２の面に直交していることを特徴とする請求項２０記載のパッケージ。
【請求項２２】
前記第２の面は前記第１の面から５ｍｍ〜５０ｍｍまたは１０ｍｍ〜２５ｍｍまたは１５ｍｍ〜２０ｍｍ離れていることを特徴とする請求項１８乃至２１いずれか１項記載のパッケージ。
【請求項２３】
案内部が形成される第１パネルを含む外方容器を含むことを特徴とする請求項１７乃至２２いずれか１項記載のパッケージ。
【請求項２４】
外方容器内に保持された内方パネルを含み、受け部はこの内方パネルに形成されていることを特徴とする請求項２３記載のパッケージ。
【請求項２５】
外方容器は、前記第１パネルから離れて位置する第２パネルを含み、内方パネルは第１および第２パネルの間に設けられ、第１および第２パネルから所定の距離を離れていることを特徴とする請求項２４記載のパッケージ。
【請求項２６】
第１パネルから内方パネルの所定の距離は、５ｍｍ〜３０ｍｍであり、第２パネルから内方パネルの所定距離は３ｍｍ〜１５ｍｍであることを特徴とする請求項２５記載のパッケージ。
【請求項２７】
スリーブをさらに含み、外方容器はスリーブ内にスライド可能に受けられ、受け部および案内部に触れられるようになっていることを特徴とする請求項２３乃至２６いずれか１項記載のパッケージ。
【請求項２８】
複数の受け部をさらに含み、前記受け部はこれら複数の受け部の１つを含むことを特徴とする請求項１７乃至２７いずれか１項記載のパッケージ。
【請求項２９】
複数の案内部をさらに含み、前記案内部はこれら複数の案内部の内の１つを含み、各案内部は、その対応する取り付け可能なユニットが対応する受け部に受けられた際にその取り付け可能なユニットが喫煙品に取り付けられるように喫煙品をその取り付け可能なユニットと位置合わせするように構成されていることを特徴とする請求項２８記載のパッケージ。
【請求項３０】
複数の案内部と複数の受け部のそれぞれをそれぞれの列に設けられることを特徴とする請求項２９記載のパッケージ。
【請求項３１】
パッケージを何らかの物体または面に取り付けられるようにするパッケージの外面に貼付された接着パッチを含むことを特徴とする請求項１７乃至３０いずれか１項記載のパッケージ。
【請求項３２】
前記または各受け部は受け口を含み、前記パッケージは、取り付け可能なユニットを該または各受け口内に取り外し自在に保持する該または各受け口と連動する把持機構をさらに含むことを特徴とする請求項１７乃至３１いずれか１項記載のパッケージ。
【請求項３３】
前記または各受け口は受け開口部を含み、把持機構は該または各受け開口部の縁部から延設され、その中に受けられた取り付け可能なユニットと係合するためのタブを含むことを特徴とする請求項３２記載のパッケージ。
【請求項３４】
前記タブは少なくとも部分的に弾性的に変位可能であることを特徴とする請求項３３記載のパッケージ。
【請求項３５】
前記タブは受け開口部が形成されたパネルを形成する材料から形成されることを特徴とする請求項３３または３４記載のパッケージ。
【請求項３６】
前記タブは受け開口部の周囲の材料で形成されることを特徴とする請求項３５記載のパッケージ。
【請求項３７】
各受け開口部用に１〜６のタブを含む、または各受け開口部用に４つのタブを含むことを特徴とする請求項３３乃至３６いずれか１項記載のパッケージ。
【請求項３８】
前記把持機構は接着剤を含むことを特徴とする請求項３２乃至３７いずれか１項記載のパッケージ。
【請求項３９】
前記または各案内部上を延びている繰り返し封止可能なカバーフラップをさらに含むことを特徴とする請求項１７乃至３８いずれか１項記載のパッケージ。
【請求項４０】
前記案内部はパッケージに形成された位置合わせ開口部の内方縁部を含むことを特徴とする請求項１７乃至３９いずれか１項記載のパッケージ。
【請求項４１】
請求項１乃至４０いずれか１項記載のパッケージを形成するための１つ以上のブランク構成。
【請求項４２】
前記または各受け部に受けられた取り付け可能なユニットを含み、この取り付け可能なユニットはユーザーによって喫煙品ロッドに取り付けられ、喫煙品ロッドによって発生するエアロゾルを変性することを特徴とする請求項１乃至４０いずれか１項記載のパッケージ。
【請求項４３】
請求項１乃至４０および４２いずれか１項記載のパッケージと複数の喫煙品ロッドとを含むキット。
【発明の詳細な説明】
【技術分野】
【０００１】
本発明は、喫煙品用の取り付け可能なユニットのためのパッケージ、そのパッケージを形成するための１つ以上のブランク構造体および前記パッケージと複数の喫煙品ロッドとを含むキットに関する。
【背景技術】
【０００２】
紙巻きタバコおよび他の喫煙品は、ユーザーによって吸引されるエアロゾル、紙巻きタバコの場合は煙を発生させる。別個のフィルターユニットを喫煙品に取り付けてエアロゾルがユーザーの口に到達する前にエアロゾルを変性させる場合がある。
【発明の概要】
【発明が解決しようとする課題】
【０００３】
本発明の実施態様では取り付け可能なユニットが受けられる受け口または受け部と、取り付け可能なユニットが受け口または受け部に受けられた際に取り付け可能なユニットを受け口または受け部内に解除自在に保持するための把持機構とを含む喫煙品用の取り付け可能なユニットのためのパッケージが提供される。
【０００４】
パッケージは、スリーブと、このスリーブ内でスライド可能なトレイとをさらに含み、このトレイは前記把持機構と、前記受け口または受け部とを含む。
【０００５】
受け口または受け部は、トレイの上部パネルに形成された凹部または切り欠きによって少なくとも一部が画定された受け開口部を含む。
【０００６】
上部パネルは、取り付け可能なユニットが受け口または受け部に受けられた際にトレイの底部パネルと平行になるように配置される。
【０００７】
上部パネルは、取り付け可能なユニットが受け口または受け部に受けられた際にトレイの底部パネルと非平行になるように配置される。
【０００８】
トレイは複数の側部パネルを含んでもよい。把持機構は、側部パネルの内の少なくとも１つを含んでもよい。前記少なくとも１つの側部パネルは、少なくとも部分的に弾性的に変位可能であり、使用時、受け口または受け部に受けられた際に取り付け可能なユニットに付勢力を供することが可能である。
【０００９】
前記側部パネルのそれぞれの少なくとも一部は、スリーブの側部パネルの高さより低い高さを有する。
【００１０】
スリーブは上部パネルを含み、トレイは底部パネルと、トレイをスリーブ内でスライドさせるとスリーブに対して反力を供し、トレイの底部パネルをスリーブの上部パネルに対して実質的に平行になるように維持するように構成された案内部材とを含む。
【００１１】
受け口または受け部は受け開口部を含み、把持機構は受け開口部に受けられた取り付け可能なユニットと係合するために受け開口部の縁部から延設されたタブを含む。タブは少なくとも部分的に弾性的に変位可能であってもよい。タブは受け部が形成されるパネルを形成する材料から形成することができる。タブは受け開口部の周囲内の材料で形成してもよい。本発明のパッケージは、各受け開口部用に１〜６個のタブを含んでもよく、または各受け開口部用に４つのタブを含んでもよい。
【００１２】
把持機構は接着剤を含んでもよい。
【００１３】
本発明の実施態様では所定の位置に取り付け可能なユニットを受けるための受け部と、取り付け可能なユニットが喫煙品に取り付けられるように取り付け可能なユニットが受け部によって受けられた際に喫煙品を取り付け可能なユニットと整列するように受け部に対して配置された案内部とを含む喫煙品用の取り付け可能なユニットのためのパッケージがさらに提供される。
【００１４】
受け部は第１の面に位置する第１のシート材に形成してもよく、案内部は前記第１の面から離れた第２の面に位置する第２シート材に形成してもよい。
【００１５】
第１の面は第２の面と平行であってもよい。
【００１６】
受け部と案内部は共通の軸の中央に位置する円形の開口部であってもよい。共通の軸は第１および／または第２の面に直交してもよい。
【００１７】
第２の面は前記第１の面から５ｍｍ〜５０ｍｍまたは１０ｍｍ〜２５ｍｍまたは１５ｍｍ〜２０ｍｍ離れてもよい。
【００１８】
本発明のパッケージは、案内部が形成される第１パネルを含む外方容器を含んでもよい。
【００１９】
本発明のパッケージは、外方容器内に保持された内方パネルを含んでもよく、受け部はこの内方パネルに形成されている。
【００２０】
外方容器は、前記第１パネルから離れて位置する第２パネルを含んでもよく、内方パネルは第１および第２パネルの間に設けてもよく、第１および第２パネルから所定の距離を離れてもよい。第１パネルから内方パネルの所定の距離は、５ｍｍ〜３０ｍｍであってもよく、第２パネルから内方パネルの所定距離は３ｍｍ〜１５ｍｍであってもよい。
【００２１】
本発明のパッケージはスリーブをさらに含んでもよく、外方容器はスリーブ内にスライド可能に受けられ、受け部および案内部に触れられるようになっている。
【００２２】
本発明のパッケージは、複数の受け部をさらに含んでもよく、受け部はこれら複数の受け部の１つを含む。
【００２３】
本発明のパッケージは複数の案内部をさらに含んでもよく、前記案内部はこれら複数の案内部の内の１つを含み、各案内部は、その対応する取り付け可能なユニットが対応する受け部に受けられた際にその取り付け可能なユニットが喫煙品に取り付けられるように喫煙品をその取り付け可能なユニットと位置合わせするように構成されている。
【００２４】
複数の案内部と複数の受け部のそれぞれをそれぞれの列に設けてもよい。 
【００２５】
本発明のパッケージはパッケージを何らかの物体または面に取り付けられるようにするパッケージの外面に貼付された接着パッチを含んでもよい。
【００２６】
該または各受け部は受け口を含んでもよく、本発明のパッケージは、取り付け可能なユニットを該または各受け口内に取り外し自在に保持する該または各受け口と連動する把持機構をさらに含んでもよい。
【００２７】
該または各受け口は受け開口部を含んでもよく、把持機構は該または各受け開口部の縁部から延設され、その中に受けられた取り付け可能なユニットと係合するためのタブを含んでもよい。
【００２８】
タブは少なくとも部分的に弾性的に変位可能であってもよい。タブは受け開口部が形成されたパネルを形成する材料から形成してもよい。タブは受け開口部の周囲内の材料で形成してもよい。
【００２９】
本発明のパッケージは、各受け開口部用に１〜６のタブを含んでもよく、各受け開口部用に４つのタブを含んでもよい。
【００３０】
把持機構は接着剤を含んでもよい。
【００３１】
パッケージは該または各案内部上を延びている繰り返し封止可能なカバーフラップをさらに含んでもよい。
【００３２】
案内部はパッケージに形成された位置合わせ開口部の内方縁部を含んでもよい。
【００３３】
本発明の実施態様では上述したような本発明の実施態様によるパッケージを形成するための１つ以上のブランク構成がさらに提供される。
【００３４】
本発明の実施態様では上述したような本発明の実施態様による該または各受け部に受けられた取り付け可能なユニットを含むパッケージがさらに提供され、この取り付け可能なユニットはユーザーによって喫煙品ロッドに取り付けられ、喫煙品ロッドによって発生するエアロゾルを変性する。
【００３５】
本発明の実施態様では上述したような本発明の実施態様によるパッケージと複数の喫煙品ロッドとを含むキットがさらに提供される。
【図面の簡単な説明】
【００３６】
【図１】喫煙品ロッドと喫煙品ロッドと対になるように構成された取り付け可能なユニットの例を示す。
【図２】喫煙品ロッドと喫煙品ロッドと対になるように構成された取り付け可能なユニットの別の例を示す。
【図３】第１の例による喫煙品用の取り付け可能なユニットのためのパッケージの斜視図である。
【図４】図３のＡ−Ａ’線に沿った図３に示したパッケージの断面図である。
【図５ａ】第２の例による喫煙品用の取り付け可能なユニットのためのパッケージの斜視図である。
【図５ｂ】図５のＢ−Ｂ’線に沿った図５ａに示したパッケージの断面図である。
【図６】第２の例によるパッケージの外方スリーブを形成するためのブランクを示す。
【図７】第２の例によるパッケージの内方トレイを形成するためのブランクを示す。
【図８】第２の例によるパッケージの内方トレイに受けられるインサートを形成するためのブランクを示す。
【図９】第３の例による喫煙品用の取り付け可能なユニットのためのパッケージの斜視図である。
【図１０】第４の例による喫煙品用の取り付け可能なユニットのためのパッケージの斜視図である。
【図１１】第４の例のパッケージのスリーブを形成するためのブランクを示す。
【図１２】第４の例のパッケージのトレイを形成するためのブランクを示す。
【図１３】第４の例のパッケージのトレイとトレイ内にある取り付け可能なユニットの断面図である。
【発明を実施するための形態】
【００３７】
本明細書中で使用する「喫煙品」なる用語は、タバコ、タバコ派生物、膨張タバコ、再生タバコまたはタバコ代替え品をベースにしているか否かに関係なく紙巻きタバコ、シガーおよびシガリロなどの燃焼性喫煙品、およびタバコなどの基材からそれを燃やさずに化合物を放出する非燃焼加熱(ＨｎＢ)装置および電子タバコを含むエアロゾル発生装置などの他のニコチン送出製品などの加熱装置をも含む。喫煙品には喫煙者に吸引される気体流用のフィルターを設けてもよい。
【００３８】
紙巻きタバコなどの喫煙品およびそのフォーマットは、「レギュラー」（通常、６８〜７５ｍｍの範囲内、例えば約６８ｍｍ〜約７２ｍｍ）、「ショート」または「ミニ」（６８ｍｍ未満）、「キングサイズ」（通常、７５〜９１ｍｍの範囲内、例えば７９ｍｍ〜約８８ｍｍ）、「ロング」または「スーパーキング」（通常、９１〜１０５ｍｍの範囲内、例えば約９４ｍｍ〜約１０１ｍｍ）および「ウルトラロング」（通常、約１１０ｍｍ〜約１２１ｍｍの範囲内）などの紙巻きタバコの長さによって命名される場合がある。
【００３９】
また、「レギュラー」（約２３〜２３ｍｍ）、「ワイド」（２５ｍｍ超）、「スリム」（約２２〜２３ｍｍ）、「デミスリム」（約１９〜２２ｍｍ）、「スーパースリム」（約１６〜１９ｍｍ）および「ミクロスリム」（約１６ｍｍ未満）などの紙巻きタバコの円周によっても命名される。従って、キングサイズ、スーパースリムフォーマットの紙巻きタバコは、例えば長さが約８３ｍｍで円周が約１７ｍｍである。レギュラーキングサイズフォーマットの紙巻きタバコは多くの購買者に好まれており、円周が２３〜２５ｍｍで全長が７５〜９１ｍｍである。
【００４０】
各フォーマットは異なる長さのフィルター付きで製造され、小さいフィルターが通常短く小さい円周のフォーマットに使用される。通常、フィルターの長さは、短いレギュラーフォーマットに使用される約１５ｍｍ〜になり、ウルトラロングスーパースリムフォーマットに使用される３０ｍｍである。チッピング紙はチッピング紙がフィルターを覆い、タバコロッドに重なってフィルターをタバコロッドに接続するようにフィルターより長く、例えば３〜１０ｍｍの長さを有する。
【００４１】
ここで説明する喫煙品は上記フォーマットのいずれかで作製できるが、これらに限定されない。
【００４２】
ここで説明する図面において同等の特徴、物品または部材を示す場合には同じ参照番号が使用されている。
【００４３】
図１は喫煙品１００を形成するためにユーザーによって互いに取り付けられるまたは合わせられる取り付け可能なユニット３と喫煙品ロッド２の第１の例の側部端部面図である。取り付け可能なユニット３は、喫煙品ロッド２によって発せられるエアロゾルの１つ以上の特徴を変性するように構成されている。
【００４４】
取り付け可能なユニット３は、取り付け可能なユニット３が喫煙品ロッド２に取り付けられた際に喫煙品ロッド２の少なくとも一部が受けられる凹部３０を含む。本例では取り付け可能なユニット３は、円筒状部材２１を含み、これは円筒状部材２１の周囲にスリーブを形成するシート材２２によって囲まれている。本例では円筒状部材２１はフィルター材を含み、この場合シート材２２に円周方向に包まれたセルロースアセテートトウであるが、取り付け可能なユニット３は他の方法で形成してもよい。この場合シート材２２は硬質紙を含む。
【００４５】
取り付け可能なユニットは、取り付け可能なユニット３が喫煙品ロッド２に取り付けられた際に喫煙品ロッド２と取り付け可能なユニット３が長手方向軸上で整列するように配置される。
【００４６】
円筒状部材２１は第１および第２長手方向端部２３、２４を含み、この例ではこれらは露出しており、煙または他のエアロゾルを円筒状部材２１を通って長手方向に通過させる。図に示すように凹部３０を形成するためにシート材２２は円筒状部材２１の第１長手方向端部面２３を越えて延びている。凹部３０は、円筒状部材２１の第１長手方向端部面２３を越えて長手方向に延びたシート材２２の部分の内面と共に円筒状部材２１の第１長手方向端部面２３によって形成されている。シート材２２は円筒状部材２１の第２長手方向端部面２４まで延びているが、これとは別に第２長手方向端部面２４を越えて延び、さらに凹部（図示せず）を形成することができる、またはシート材２２が円筒状部材２１の全長を囲まないように長手方向端部面２４まで到達しないように配置することができる。
【００４７】
図１に示す喫煙品ロッド２はフィルター６に端部同士で長手方向に接続されたタバコロッド４を有する。タバコロッド４に面したフィルター６の端部と反対側のフィルター６の外部端部面１６は喫煙品ロッド２の吸い口端部面１６を画定する。喫煙品ロッド２は紙巻きタバコなどの従来の喫煙品であってもよい。本例ではタバコロッド４は、包装材５、この場合にはシガレットペーパーに包まれている。フィルター６は、本例ではプラグラッパー９に包まれたセルロースアセテートトウから形成されている。タバコロッド４とフィルター６はフィルター６に重なり、ラッパー材５の一部に重なるチッピング材１４によって接続される。フィルター６は、フィルター６を形成する２つ以上のフィルターセクションを含んでもよく、これらはチッピング紙１４を使用してタバコロッド４にフィルター６を接続する前に別のプラグラッパー（図示せず）を使用して互いに接続することができる。
【００４８】
使用時に喫煙品１００は、個別の部材として、例えば喫煙１００を製するためのキットの部品として別々に梱包されるまたは一緒に梱包される取り付け可能なユニット３と喫煙品ロッド２をユーザーに提供することができる。ユーザーが最初に喫煙品ロッド２を使用する前に取り付け可能なユニット３は喫煙品ロッド２の吸い口端を取り付け可能なユニット４の凹部３０内に挿入することよって喫煙品ロッド２に取り付けられる。取り付け可能なユニット３が喫煙品ロッド２に取り付けられる際に円筒状部材２１の第１長手方向端部面２３は喫煙品ロッド２のフィルター６の吸い口端部面１６と当接する。
【００４９】
ユーザーは喫煙品１００を喫煙する前に取り付け可能なユニット３を喫煙品ロッド２に取り付けるか否かを選択することができ、このようにして喫煙品１００のフィルターの長さを調整することができ、従って喫煙品ロッド２によって発せられるエアロゾルのろ過のレベルを調整することができる。また取り付け可能なユニット３は、エアロゾル、この場合喫煙品ロッド２によって発せられる煙を変性するための添加剤を含むことができる。例えば、本例では風味添加剤（図示せず）を含むカプセルが円筒状部材２１内に配置されている。カプセルは液体中央部とユーザーによって取り付け可能なユニット３を揉むことによって破壊され、風味添加剤を放出する脆弱な外方シェルを有する。風味添加剤は、喫煙品１００が喫煙されると喫煙品ロッド２によって発せられるエアロゾルへと移行する。別の例では取り付け可能なユニット３は活性炭の粒子または他の吸着剤、湿潤剤、希釈剤などの喫煙品ロッド２によって発せられるエアロゾルを変性するための別の添加剤を含んでもよい。
【００５０】
図２は喫煙品２００を形成するために取り付けられる取り付け可能なユニット２０３と喫煙品ロッド２の別の例の側部端部面図である。
【００５１】
図２を参照すると取り付け可能なユニット２０３がユーザーによって喫煙品ロッド２０２に取り付けられるように配置されている。喫煙品ロッド２０２は、本例では第１凹部１３を含む。図１の取り付け可能なユニット３と同じように取り付け可能なユニット２０３は、喫煙品ロッド２０２によって発せられるエアロゾルの１つ以上の特性を変性させるように構成されている。取り付け可能なユニット２０３は、喫煙品ロッド２０２の第１凹部１３に少なくとも一部が挿入されるように構成された部材２０を含む。
【００５２】
本例では喫煙品ロッド２０２は紙巻きタバコであり、包装材５、この場合シガレットペーパーに包まれたタバコロッド４を含む。喫煙品ロッド２は、フィルター２０６のタバコロッド端部に位置する第１セクション７を含むフィルター２０６をその吸い口端に含む。第１フィルターセクション７は、本例では第１プラグラッパー９に包まれたセルロースアセテートトウから形成されている。またフィルター２０６は、第１セクション７の下流に位置し、第２プラグラッパー１２に包まれた管状部材１１を含む第２セクション１０を含む。
【００５３】
管状部材１１は、本例では喫煙品ロッド２０２の吸い口端で開口し、その端部で第１凹部またはキャビティー１３を画定している。管状部材１１の吸い口端部面２１６は喫煙品ロッド２０２の吸い口端で露出している。タバコロッド４および第１および第２フィルターセクション７、１０は、第１および第２フィルターセクション７、１０に重なり、包装材５に部分的に重なるチッピング紙１４によって接続される。第１および第２フィルターセクション７、１０およびフィルター３０６を形成する他のセクションは、チッピング材１４を使ってフィルター３０６をタバコロッド４に接続する前に更に別のプラグラッパー（図示せず）を使用して相互に接続することができる。
【００５４】
取り付け可能なユニット３０３の円筒状部材２０は、実質的に空気を通さない、例えば５０コレスタ単位超または１００コレスタ単位超の通気度を有するプラグラッパー２６に包まれている。しかしながら、これとは別に円筒状部材２０は巻かれてなくてもよい。
【００５５】
取り付け可能なユニット３０３の円筒状部材２０は、隣接する第１および第２部分２０ａ、２０ｂを有し、それぞれ円筒状部材２０の長さに沿って部分的に延びている。本例では円筒状部材２０の第１部分２０ａは、円筒状部材２０の長さに沿って円筒状部材２０の挿入端部から中間位置２５へと延びている。本例では円筒状部材２０の第２部分２０ｂは、円筒状部材２０の長さに沿って円筒状部材２０の吸い口端から延び、中間位置２５で終わっている。
【００５６】
本例では円筒状部材２０の長さは２５ｍｍであり、中間位置は円筒状部材２０の長さに沿って吸い口端から１２．５ｍｍである。円筒状部分２０の第１部分２０ａは、喫煙品ロッド３０２の吸い口端で凹部１３内にユーザーによって挿入されるように配置される。
【００５７】
取り付け可能なユニット２０３は環状部材２７をさらに含み、これは円筒状部材２０の第２部分２０ｂの周囲に配置される。環状部材２７は凹部１３の内径より大きな外径を有する。
【００５８】
環状部材２７の長手方向端部面２９は、取り付け可能なユニット２０３が喫煙品ロッド２０２に取り付けられた際に喫煙品ロッド３０２に向くように配置される。長手方向端部面２９は、以下に説明するように取り付け可能なユニット２０３が喫煙品ロッド２０２に取り付けられた際に管状部材１１の吸い口端部面３１６に当接してもよい。加えてまたはこれとは別に円筒状部材２０の長手方向端部面２９’は、取り付け可能なユニット２０３が喫煙品ロッド２０２に取り付けられた際に第１フィルターセクション７の吸い口端部面１７と当接してもよい。
【００５９】
円筒状部材２０の第１部分２０ａは、喫煙品ロッド２０２の第１凹部、本例では管状部材１１によって形成された凹部１３内に挿入されるように配置される。凹部１３の内径および／または長さと円筒状部材２０の外径および／または長さは、円筒状部材２０の第１部分２０ａが凹部１３内に受けられ、実質的にこれを満たすように実質的に一致するように構成されている。例えば、凹部１３の内径は円筒状部材２０の第１部分２０ａの外径と実質的に同じであってもよい。さらに凹部１３の長さは、環状部材２７から突出した円筒状部材２０の第１部分２０ａの長さと実質的に同じであってもよい。
【００６０】
実際には凹部１３の寸法と円筒状部材２０の第１部分２０ａの寸法の一致は、これら部材を形成するために使用される材料およびそれらの間の所望の嵌めの密度によって変わる。凹部の寸法は、円筒状部材２０を凹部１３内に挿入しやすくするために第１部分２０ａの寸法よりわずかに大きくするのが好ましい傾向がある。
【００６１】
図２の例では凹部１３は４ｍｍの内径を有し、円筒状部材２０は３．８ｍｍの外径を有する。別の例では 凹部１３の内径および円筒状部材２０の外径は、別の値であってもよ
く、例えば２ｍｍ〜６ｍｍの範囲内の径であってもよい。図２の例では凹部１３は、１２ｍｍの内部長さを有し、円筒状部材２０の第１部分２０ａは１２ｍｍの長さを有する。別の例では凹部１３の内部長さおよび円筒状部材２０の第１部分２０ａの長さは、別の値であってもよく、例えば５ｍｍ〜２０ｍｍの範囲内の値であってもよい。
【００６２】
本例では環状部材２７は接着剤（図示せず）を使用して円筒状部材２０に取り付けられる。環状部材２７は接着剤以外の手段、例えば摩擦嵌合または他の係止装置などの機械的手段によって円筒状部材２０に取り付けてもよい。
【００６３】
取り付け可能なユニット２０３は上記図１を参照して説明した取り付け可能なユニット３と同じように喫煙品ロッド３０２によって発せられるエアロゾル、本例の場合は煙を変性する添加剤を含んでもよい。
【００６４】
使用の際、喫煙品２００は、別個の部品として取り付け可能なユニット２０３および喫煙品ロッド２０２がユーザーに提供されてもよい。ユーザーが最初に喫煙品ロッド２０２を使用する前に取り付け可能なユニット２０３は、円筒状部材２０の第１部分２０ａを凹部１３に挿入することによって喫煙品ロッド２０２に取り付けることができる。取り付け可能なユニット２０３が喫煙品ロッド２０２に取り付けられると、環状部材２７の長手方向端部面２９は管状部材１１の端部面２１６と当接する。
【００６５】
ユーザーは喫煙品２００を喫煙する前に取り付け可能なユニット２０３を喫煙品ロッド２０２に取り付けるか否かを選択することができ、このようにして喫煙品２００のフィルターの長さを調節することができ、従って喫煙品２００によって発せられるエアロゾルのろ過度並びに取り付け可能なユニット２０３がエアロゾルを変性させるための１つ以上の添加剤を含む場合にはエアロゾルの他の特性を調整することができる。
【００６６】
図３は第１の例による喫煙品用の取り付け可能なユニットのためのパッケージ３００の斜視図である。パッケージ３００は、図１および２を参照して説明した第１または第２の例の取り付け可能なユニット３、２０３または喫煙品用の他のこのような取り付け可能なユニットを収容するように構成されている。図４は図３のＡ−Ａ’線に沿った図３に示したパッケージの断面図である。
【００６７】
パッケージ３００は、本体３０１と、本体３０１にヒンジ式に連結された蓋３０２とを含む。本例では本体３０１は実質的に直方体形状である。図４に示すように本体３０１は、外方容器３０３と本体インサート３０４とを含む。外方容器３０３は、第１パネル３０３ａと、第２パネル３０３ｂと、第１および第２パネル３０３ａ、３０３ｂの間を延びている側部パネル３０３ｃとを含む。本体インサート３０４は、受け部３０５、この例では本明細書中で説明したような取り付け可能なユニットが受けられる受け開口部３０５を含む。取り付け可能なユニットのための他の形体の受け口も使用可能である。受け開口部は保持または把持開口部とも称される。別の例では受け部は、ここで説明した容器または受け開口部として形成する必要はなく、取り付け可能なユニットを収容するためのパネルまたは他の支持構造体に塗布される接着剤を含むことも可能である。本例では受け開口部３０５がその中に受けられた第２の取り付け可能なユニットである取り付け可能なユニット２０３を有して示されている。
【００６８】
また本体３０１は、案内部３０６、この場合案内開口部とも言われる位置合わせ開口部３０６を含む。本例では位置合わせ開口部３０６は、外方容器３０３の第１パネル３０３ａに設けられている。案内開口部の内方縁部は、以下に詳しく説明するように喫煙品ロッドを受け部、受け口または受け開口部と位置合わせするために使用される。
【００６９】
位置合わせ開口部３０６は、それぞれ対応する受け開口部３０５に位置合わせされ、その結果受け開口部に受けられた対応する取り付け可能なユニットと位置合わせされ、これにより取り付け可能なユニット３、２０３が受け開口部３０５に受けられ、喫煙品ロッドが対応する位置合わせ開口部３０６に挿入された際に取り付け可能なユニット３、２０３が喫煙品ロッドに取り付けられる前に喫煙品ロッドが取り付け可能なユニット３、２０３に位置合わせされる。これにより取り付け可能なユニット３、２０３の喫煙品ロッドへの取り付けが簡単になり、取り付け可能なユニット３、２０３を本体３０１内で保護することができる。従って、位置合わせ開口部３０６は、取り付け可能なユニット３、２０３と一緒に使用する喫煙品ロッドが位置合わせ開口部３０６の内方縁部によって案内されながら位置合わせ開口部３０６を介して挿入できるように構成された大きさおよび形状を有する。受け開口部３０５は取り付け可能なユニット３、２０３を受けるような寸法になっており、喫煙品ロッドが取り付けられ、受け開口部３０５に受けられる取り付け可能なユニットそれぞれの端部が対応するそれぞれの位置合わせ開口部３０６に向くようになっている。
【００７０】
本体インサート３０４は、受け開口部３０５が形成されているインサートパネル３０４ａと、外方容器３０３の第２パネル３０３ｂから所定の高さにインサートパネル３０４ａを支持するためのその側部にある支持部材３０４ｂと、側部パネル３０４ｃとを含む。
【００７１】
本体インサート３０４は、取り付け可能なユニット３、２０３を受け開口部３０５内に取り外し自在に保持する把持機構３０７を含む。本例では把持機構３０７は、各受け開口部３０５の縁部から延設され、各受け開口部で受けられた取り付け可能なユニット３、２０３と係合するための複数のタブ３０８を含む。これとは別の例では把持機構３０７は、各受け開口部３０５のための１つのタブおよび／または接着剤などの他の機構を含んでもよい。
【００７２】
各タブ３０８は、取り付け可能なユニットが取り付け可能なユニット３、２０３に付勢力を発生させる受け開口部３０５に挿入された際に少なくとも部分的に弾性変位可能であり、よって弾性変形可能である。本例ではタブ３０８は、受け開口部３０５が形成されているインサートパネル３０４ａから切り込みが入れられたシート材から形成されている。タブ３０８は、受け開口部３０５の外縁内から切り込みが入れられたシート材から受け開口部３０５の縁部へタブ３０８が取り付けられたままにする切断されていない接続領域と共に形成されている。例えば、各受け開口部３０５内のシート材を４つの部分に分けるように切断することによってこのようなタブを４つ形成することができる。これとは別の例では把持機構３０７は、例えば外方容器３０３の第２パネル３０３ｂの内面に設けることができる接着パッチなどの接着剤などの他の方法で設けることも可能である。これとは別に接着剤を受け開口部３０５の縁部の周囲に設けて把持機構３０７を形成することも可能である。
【００７３】
第１パネル３０３ａには位置合わせ開口部３０６のそれぞれを覆って延びる繰り返し封止可能なカバーフラップ（図示せず）を設けることができる。再封止可能なカバーフラップは、その下側に永久粘着剤を有し、位置合わせ開口部３０６の周囲をシールしてもよい。本体３０１は、このようにして封止することができる。これは取り付け可能なユニット３、２０３の保存可能期間を伸ばし、パッケージ３００を最初に開封した後使用のために必要になるまで未使用の取り付け可能なユニットを新鮮に保つことに役立つ。
【００７４】
図５ａは第２の例による喫煙品用の取り付け可能なユニットのためのパッケージ５００の斜視図である。図５ｂは図５ａのＢ−Ｂ’線に沿った図５に示したパッケージの断面図である。
【００７５】
第２の例のパッケージ５００は、スリーブ５０１と、スリーブ５０１内でスライドするように配置されたトレイ５０２とを含む。トレイ５０２は外方部分５０３と、外方部分５０３に収容されるトレイインサート５０４とを含む。
【００７６】
本例ではパッケージ５００は実質的に直方体形状である。スリーブ５０１は、第１パネル５０１ａと、第２パネル５０１ｂと、第１および第２側部パネル５０１ｃ、５０１ｃ’と、第１端部パネル５０１ｄ（図５ａには示していない）と、第２端部パネル５０１ｄ’とを含み、側部および端部パネル５０１ｃ、５０１ｃ’、５０１ｄ、５０１ｄ’は第１および第２パネル５０１ａ、５０１ｂの間を延びている。
【００７７】
トレイの外方部分５０３は、第１パネル５０３ａと、第２パネル５０３ｂと、第１および第２側部パネル５０３ｃ、５０３ｃ’と、第１および第２端部パネル５０３ｄ、５０３ｄ’(第２端部パネルは図５ａに示されていない)とを含み、第１および第２側部パネル５０３ｃ、５０３ｃ’、第１および第２端部パネル５０３ｄ、５０３ｄ’は第１および第２パネル５０３ａ、５０３ｂの間を延びている。
【００７８】
トレイインサート５０４は、受け開口部５０５が形成されているインサートパネル５０４ａと、外方部分５０３の第２パネル５０３ｂから所定の高さにインサートパネル５０４ａを支持するためのその側部にある支持部材３０４ｂと、側部パネル５０４ｃとを含む。
【００７９】
従って、トレイインサート５０４は、本明細書中で説明したような取り付け可能なユニットを受けることができる受け開口部５０５を含む。本例では受け開口部５０５は、その中に受けられた第２の例の取り付け可能なユニットである取り付け可能なユニット２０３を有して示されている。複数の受け開口部５０５がトレイインサート５０４のインサートパネル５０４ａに設けられており、これは図３および５を参照して説明した受け開口部３０５に対応する。
【００８０】
またトレイの外方部分５０３も位置合わせ開口部５０６を含む。本例では位置合わせ開口部５０６は、外方部分５０３の第１パネル５０３ａに設けられている。複数の位置合わせ開口部５０６がトレイ外方部分５０３の第１パネル５０３ａに設けられており、図３および５を参照して説明した位置合わせ開口部３０６に対応する。位置合わせ開口部５０６は、それぞれ対応する受け開口部５０５と位置合わせされ、かつ、受け開口部５０５から離れており、これにより取り付け可能なユニット３、２０３が受け開口部５０５に受けられ、喫煙品ロッドが対応する位置合わせ開口部５０６に挿入された際に喫煙品ロッドが取り付け可能なユニット３、２０３を喫煙品ロッドに取り付ける前に取り付け可能なユニット３、２０３に位置合わせされる。
【００８１】
またトレイ５０２もパッケージの例１並びに図３および４を参照して説明したように取り付け可能なユニット３、２０３が受け開口部５０５に受けられた際に受け開口部５０５内に取り付け可能なユニット３、２０３を取り外し自在に保持する把持機構５０７を含む。把持機構５０７は、本例ではパッケージの例１並びに図３および４を参照して説明したタブ３０８に対応するタブ５０８によって形成されている。
【００８２】
第１パネル５０３ａにそれぞれの位置合わせ開口部５０６を覆って延びる繰り返し封止可能なカバーフラップ（図示せず）を設けることができる。再封止可能なカバーフラップは、その下側に永久粘着剤を有し、位置合わせ開口部５０６の周囲をシールしてもよい。本体５０２は、このようにして封止することができる。これは取り付け可能なユニット３、２０３の保存可能期間を伸ばし、パッケージ５００を最初に開封した後使用のために必要になるまで未使用の取り付け可能なユニットを新鮮に保つことに役立つ。
【００８３】
第２のパッケージの例のスリーブ５０１、トレイ外方部分５０３およびトレイインサート５０４を形成するためのブランクをそれぞれ図６、７および８に示す。
【００８４】
図６を参照すると、スリーブ６００は、第１パネル５０１ａを形成するための矩形のパネルを含み、これは第２のパネル５０１ｂを形成するための対応する矩形のパネルから離れている。２つの矩形のパネルがブランク６００が折り曲げられた際に互いに重なった状態でスリーブ５０１の第１および第２側部パネル５０１ｃ、５０１ｃ’のそれぞれを形成し、２つの矩形のパネルが第２端部パネル５０１ｄ’を形成する。一枚の矩形のパネルが第１端部パネル５０１ｄを形成している。タブ６０１には接着剤が塗布され、スリーブ５０１を組み立てた際にパネル同士を貼り付ける。ブランク６００がスリーブ５０１を形成するために折り曲げられると、第１パネル５０１ａは第２パネル５０１ｂに対して平行になるように折り曲げられ、第１端部パネル５０１ｄはそれらの間に垂直に配置される。第１および第２側部パネル５０１ｃ、５０１ｃ’および第２端部パネル５０１ｄ’は、ブランクの重なる部分によって形成され、接着剤をこれら重なるパネルに塗布してそれらを互いに接着し、スリーブ５０１を所定の形状に維持することができる。
【００８５】
切り欠き６０２および取り外し部分６０３ａ、６０３ｂ、５０１ｄが設けられている。取り外し部分６０３ａ、６０３ｂは、第１端部パネル５０１ｄと、弱化ミシン目線６０４によって輪郭が形成されている第１および第２パネル５０１ａ、５０１ｂの一部とを含む。第１および第２パネルの両方において弱化線は、第１端部パネル５０１ｄに取り付けられているパネルの一部を囲んでいる。従って、ブランクを組み立ててスリーブ５０１を形成すると、取り外し部分６０３ａ、６０３ｂ、５０１ｄは、弱化線に沿って分離して第１端部パネル５０１ｄを取り除き、スリーブ５０１に開口部を形成して、トレイの外方部分５０２をスライドさせてスリーブ５０１から出すことができる。第１および第２パネルの取り外される部分によってユーザーはトレイの外方部分５０２を掴むことができ、それをスリーブ５０１内からスライドさせることができる。切り欠き６０２はユーザーが取り外し部分６０３ａ、６０３ｂ、５０１ｄをパッケージから引き剥がせるようにする。
【００８６】
トレイ外方部分５０２を形成するためのブランク７００を図７に示す。トレイの外方部分５０２は、それがスリーブ５０１の内壁面と軽く当接し、必要に応じてスリーブ５０１から簡単にスライドして出るようにスリーブ５０１内に嵌るように構成されている。
【００８７】
トレイ外方部分のブランク７００は、トレイ外方部分５０３の第１パネル５０３ａ、第２パネル５０３ｂ、第１および第２側部パネル５０３ｃ、５０３ｃ’および第１および第２端部パネル５０３ｄ、５０３ｄ’を形成する矩形のパネルを含む。タブ７０１にはトレイの外方部分５０３を組み立てる際にパネル同士を貼り付ける接着剤が塗布されている。ブランク７００はスリーブ５０１を形成するブランク６００と同じように組み立てられる。
【００８８】
トレイ外方部分５０３の第１パネル５０３ａには位置合わせ開口部５０６の列が設けられている。図示の実施態様では２×５の列が示されているが、あらゆる数の開口部をパッケージの大きさおよび収容される取り付け可能なユニットの数に応じて設けてもよい。
【００８９】
トレイインサート５０４を形成するためのブランク８００を図８に示す。インサート５０４はトレイの外方部分５０３内に嵌るように構成されている。
【００９０】
トレイインサートのブランク８００は、受け開口部５０５が形成されているインサートパネル５０４ａ、パッケージが組み立てられた際に外方部分５０３の第２パネル５０３ｂから所定の高さに挿入パネル５０４ａを支持するために挿入パネルの両側にある支持部材５０４ｂ、および側部パネル５０４ｃを形成するためのパネルを含む。特に支持部材５０４ｂを形成する矩形部分の幅「ｄ」はインサートパネル５０４ａの高さを決める。トレイインサート５０４を形成するために支持部材５０４ｂはインサートパネル５０４ａに対して直角に折り曲げられ、側部パネル５０４ｃは、支持部材パネル５０４ｂに対して平行に位置するように支持部材パネル５０４ｂ上に折り戻される。
【００９１】
トレイインサート５０４は、インサート５０４の側部パネル５０４ｃがトレイ外方部分５０３の第１および第２側部パネル５０３ｃ、５０３ｃ’と当接するようにトレイの外方部分５０３内に嵌る。さらに安定させるために接着剤を当接面に塗布してもよい。
【００９２】
トレイインサート５０４のインサートパネル５０４ａにはトレイ外方部分５０３の第１パネル５０３ａの開口部５０６に位置合わせされた円形の受け開口部５０５の列が設けられている。
【００９３】
図９は第３の例による喫煙品用の取り付け可能なユニットのためのパッケージ９００の斜視図である。
【００９４】
第３の例のパッケージ９００は、スリーブ９０１と、スリーブ９０１内をスライドするように配置されたトレイ９０２とを含む。
【００９５】
スリーブ９０１は、第１パネル９０１ａと、第２パネル９０１ｂと、 第１および第２
側部パネル９０１ｃ、９０１ｃ’と、第１端部パネル（図９に示されていない）と、第２端部パネル９０１ｄ’とを含み、側部および端部パネル９０１ｃ、９０１ｃ’、９０１ｄ、９０１ｄ’は第１および第２パネル９０１ａ、９０１ｂの間を延びている。
【００９６】
トレイ９０２は、スリーブ９０１内をスライドするように配置され、第１および第２パネル９０１ａ、９０１ｂの幅を横断するスリーブ９０１の幅より狭い主胴体９０３と、実質的にスリーブ９０１の幅の端部９０４とを含む。
【００９７】
主胴体９０３は、第１のパネル９０３ａと、第２パネル９０３ｂと、第１および第２側部パネル９０３ｃ、９０３ｃ’とを有する。側部パネル９０３ｃ、９０３ｃ’には上述したような受け開口部９０５の列が設けられており、各受け開口部９０５取り付け可能なユ
ニットの対応する１つを保持するための上記で説明したような把持機構を有する。
【００９８】
取り付け可能なユニット３、２０３がそれが受け開口部９０５内に保持された際に突出できる空間９０９が主胴体９０３の両側に設けられている。接着パッチ９１０がパッケージの外面に貼り付けられ、パッケージを何らかの物体または面、例えば紙巻きタバコパックなどのタバコ産業製品用パックに貼り付けられるようにする。接着パッチ９１０は、必要なときに接着剤を露出させるために接着剤上にユーザーによって取り外せる保護カバーシートを含んでもよい。
【００９９】
図１０は第４の例による喫煙品用の取り付け可能なユニットのためのパッケージ１０００の斜視図である。
【０１００】
第４の例のパッケージ１０００は、第１端部１００１’および第２端部１００１’’を有するスリーブ１００１と、このスリーブ１００１内を長手方向にスライドするように配置されたトレイ１００２とを含む。パッケージ１０００は、トレイ１００２がスリーブ１００１の第１端部１００１’または第２端部１００１’’からスライドして出られるように配置されている。パッケージ１０００は、トレイ１００２がスリーブ１００１から完全に外れないようにするための手段を含む。そのような手段について以下に詳しく説明する。
【０１０１】
スリーブ１００１は、第１（または上方）パネル１００１ａと、第２（または底部）パネル（図示せず）と、第１および第２側部パネル１００１ｂ、１００１ｃとを含む。
【０１０２】
トレイ１００２は、第１側部パネル１００３ａと第２側部パネル１００３ｂとを有する。第１および第２側部パネル１００３ａ、１００３ｂそれぞれの少なくとも一部は、スリーブ１００１の高さＢより低い高さＡ、この例の場合スリーブ１００１の高さＢの約５０％の高さを有する。高さＡはスリーブ１００１の高さＢの２０％〜８０％またはスリーブ１００１の高さＢの４０％〜６０％であってもよい。
【０１０３】
またトレイ１００２はスリーブ１００１の高さＢと実質的に同じ高さを有する端部パネル１００４を有する。第１側部パネル１００３ａは端部パネル１００４の高さから第１側部パネル１００３ａのその部分の高さＡへと傾斜する傾斜端部１００３ａ’を有する。第２側部パネル１００３ｂは対応する傾斜端部１００３ｂ’を有する。
【０１０４】
またトレイ１００２は底部パネル（図示せず）と、トレイ１００２の上側を少なくとも部分的に横断して延びた上部パネル１００７とを有する。
【０１０５】
スリーブ１００１は第２側部パネル１００１ｃの両端にそれぞれ形成された第１および第２の切り欠き１００８ａ、１００８ｂをさらに含む。対応する切り欠き（図示せず）が第１側部パネル１００１ｂに形成されている。これらの切り欠きによってトレイ１００２がスリーブ１００１に完全に挿入されている際にユーザーがトレイ１００２の第１および第２側部パネル１００３ａ、１００３ｂを掴んでトレイ１００２をスリーブ１００１の内側からスライドさせて出すことができる。
【０１０６】
トレイ１００２は、少なくとも１つの受け口または受け部、この例では受け開口部１００５と、この少なくとも１つの受け開口部１００５内に取り付け可能なユニット３、２０３を取り外し自在に保持する少なくとも１つの把持機構とを含む。本例では上部パネル２００７は第２側部パネル１００３ｂから第１側部パネル１００３ａへとトレイ１００２の上側の一部のみを横断して延びており、その少なくとも１つの受け開口部１００５は上部パネル１００７とトレイ１００２の反対側の面との間の隙間として形成されている。本例では１つ以上の凹部または切り欠きがトレイ１００２の上部パネル１００７に形成されており、これらは受け開口部１００５に収容される取り付け可能なユニット３、２０３の少なくとも一部に対応する形状を有する。開口部１００５は、各凹部または切り欠きとトレイ１００５の対応する反対の側部の間に画定されている。本例ではトレイ１００５の反対側は１つ以上のタブ１００６を含み、それぞれのタブは凹部または切り欠きに対応するが、タブ１００６は無くてもよい。本例ではトレイ１００２は、１０個の受け開口部１００５を含む。
【０１０７】
本例では把持機構が各受け開口部１００５用に設けられており、これは受け口に収容された取り付け可能なユニット３、２０３と係合するために第１側部パネル１００３ａの縁部から延びたタブ１００６を含む。本例ではタブ１００６は半円形形状である。これとは別の例では把持機構は異なる形状、例えば方形または三角形のタブを含んでもよい。さらに別の例では把持機構は接着剤などの他の機構を含んでもよい。
【０１０８】
各タブ１００６は少なくとも部分的に弾性変位可能であり、その結果ここで説明したような取り付け可能なユニット３、２０３が対応する受け口１００５に挿入されると、弾性変形し、取り付け可能なユニット３、２０３に付勢力を発生させる。
【０１０９】
スリーブ１００１とトレイ１００２は、トレイ１００２がスリーブ１００１に挿入されると、取り付け可能なユニット３、２０３が受け開口部１００５内に保持されている際に突出できる空間が受け開口部１００５上に設けられるように構成されている。
【０１１０】
第４のパッケージの例のスリーブ１００１とトレイ１００２を形成するためのブランクをそれぞれ図１１と図１２に示す。
【０１１１】
図１１を参照するとスリーブブランク１１００はスリーブ１００１の第１パネル１００１ａを形成するための矩形のパネルを含む。その矩形のパネルの両側に配置された２つの実質的に矩形のパネルが、それぞれスリーブ１００１の第１および第２側部パネル１００１ｂ、１００１ｃを形成する。
【０１１２】
ブランク１１００をスリーブ１００１を形成するために折り曲げると、第１および第２側部パネル１００１ｂ、１００１ｃは互いの方へ折り曲げられ、互いに平行になる。第１パネル１００１ａは、第１および第２側部パネル１００１ｂ、１００１ｃの間で垂直に配置される。
【０１１３】
第２パネルは、スリーブ１００１が形成される際に第１および第２側部パネル１００１ｂ、１００１ｃに対して垂直に配されるブランク１１００の部分１１０１、１１０２を重ねることによって形成される。
【０１１４】
２組のパネル１１０３ａ、１１０３ａ’および１１０３ｂ、１１０３ｂ’がブランク１１００に設けられている。パネル１１０３ａ、１１０３ｂは、第１側部パネル１００１ｂを形成するために使用されるパネルの両側から延び、パネル１１０３ａ’、１１０３ｂ’は、第２側部パネル１００１ｃを形成するために使用されるパネルの両側から延びている。
【０１１５】
２組のパネル１１０３ａ、１１０３ａ’および１１０３ｂ、１１０３ｂ’は、スリーブ１００１を形成する際に互いの方に折り曲げられ、第１および第２側部パネル１００１ｂ、１００１ｃに対して実質的に平行にスリーブ１００１の内側に配される。パネル１１０３ａ、１１０３ａ’、１１０３ｂ、１１０３ｂ’のそれぞれは、対応するタブ１１０４ａ、１１０４ａ’、１１０４ｂ、１１０４ｂ’を有する。スリーブ１００１を形成する際、タブ１１０４ａ、１１０４ａ’、１１０４ｂ、１１０４ｂ’は内方に折り曲げられて、対応するパネル１１０３ａ、１１０３ａ’、１１０３ｂ、１１０３ｂ’に対して実質的に平行に位置する。
【０１１６】
タブ１１０４ａ、１１０４ａ’、１１０４ｂ、１１０４ｂ’の形状は、スリーブの対応する端部と係合するように構成されている。例えば、タブ１１０４ａは組み立てられたパッケージ１０００において端部１００３ａ’と係合する。この構成によりトレイ１００２が所定の距離を超えてスリーブ１００１から滑り出るのを防ぎ、トレイ１００２とスリーブ１００１が意図せずにユーザーによって引き離されるのを防ぐ。
【０１１７】
本例ではパネル１１０３ａ、１１０３ａ’、１１０３ｂ、１１０３ｂ’およびタブ１１０４ａ、１１０４ａ’、１１０４ｂ、１１０４ｂ’は、最大でトレイ１００２の長さの４０％がスリーブ１００１からスライドして出るように構成されている。またこの構成は常にスリーブ１００１とトレイ１００２の重なりを少なくとも６０％に維持することによってパッケージの強度を維持するために役立つ。
【０１１８】
この例ではパッケージ１０００は最大でトレイ１００２の長さの４０％がスリーブ１００１からスライドして出るように構成されているが、即ち最大長さでトレイ１００２の異なる長さがスリーブ１００１から突出するようにこれとは別の構造を使用してもよい。例えば、パッケージ１０００をトレイ１００２の長さの３０％〜６０％がスリーブ１００１からスライドして出るように構成してもよい。
【０１１９】
本例ではタブは、スリーブ１００１から完全にトレイ１００２が取り外されるのを防ぐための手段を形成するために使用される。他の例ではスリーブ１００１内に狭くなった部分を形成し、従ってトレイ１００２と係合し、スリーブ１００１内のトレイ１００２の移動を制限するシート材に形成された糊のドットまたはエンボス加工されたまたは隆起させた領域などの別の構成を使用してもよい。
【０１２０】
切り欠き１１０５ａ、１１０５ａ’および１１０５ｂ、１１０５ｂ’がブランク１１００に形成されている。切り欠き１１０５ａおよび１１０５ｂは、ブランクがスリーブ１００１に組み立てられると、切り欠き１１０８ａおよび１１０８ｂをそれぞれ形成する。
【０１２１】
図１２を参照するとトレイブランク１２００は、第１および第２側部パネル１００３ａ、１００３ｂを形成するための実質的に矩形の中央セクション１２０１を含む。中央セクション１２０１は、トレイ１００２の底部パネルを形成するためのパネル１２０１ａを含む。パネル１２０１ａは、第１および第２側部パネル１００３ａ、１００３ｂの間に配されている。また中央セクションは第１および第２側部パネル１００３ｂおよび１００３ａに対応して隣接する２つのパネル１２０２、１２０３を含む。
【０１２２】
タブ１２０２ａおよび１２０２ｂがパネル１２０２の両側でブランク１２００に形成され、タブ１２０３ａおよび１２０３ｂがパネル１２０３の両側でブランク１２００に形成されている。トレイ１００２を形成する際、タブ１２０２ａと１２０２ｂは内方に折り曲げられ、第２側部パネル１００３ｂと重なり、タブ１２０３ａと１２０３ｂは、内方に折り曲げられ、第１側部パネル１００３ａと重なり、トレイ１００２の端部を強化する。
【０１２３】
２つのタブが中央セクション１２０１のパネル１２０１ａの両側から延び、端部パネル１００４と第２端部パネル１００４’を形成するために使用される。タブ１００４ａ、１００４ｂが中央セクション１２０１から端部パネル１００４を形成するために使用されるタブの両側で延びており、タブ１００４ａ’、１００４ｂ’が中央セクション１２０１から端部パネル１００４’を形成するために使用されるタブの両側で延びている。トレイ１００２を形成する際にタブ１００４ａ、１００４ｂおよび１００４ａ’、１００４ｂ’は、タブ１００４ａ、１００４ｂが端部パネル１００４と重なるようにそしてタブ１００４ａ’、１００４ｂ’が端部パネル１００４’と重なるように内方に折り曲げられる。この構成は、組み立てられたトレイ１００２において端部パネル１００４、１００４’を強化するのに役立つ。
【０１２４】
トレイブランク１２００は、中央セクション１２０１の両側に配置され、それぞれパネル１２０２および１２０３に隣接する２つの矩形のセクション１２０４、１２０５をさらに含む。組み立てられたトレイ１００２では第１および第２側部パネル１００３ａ、１００３ｂを強化するためにパネル１２０３とセクション１２０５は、第１側部パネル１００３ａと重なり、パネル１２０２とセクション１２０４は第２側部パネル１００３ｂと重なる。
【０１２５】
組み立てられたトレイ１００２の受け開口部１００５は、セクション１２０４に隣接するパネル１００７に形成された凹部によって画定され、タブ１００６はセクション１２０５に隣接して形成される。上部パネル１００７の大きさおよび形状は、１つ以上の取り付け可能なユニット３、２０３がトレイ１００２に収容された際にパネル１００７がトレイ１００２の底部パネルに平行に配置されるように構成することができる。これとは別に上部パネルの大きさは、１つ以上の取り付け可能なユニット３、２０３がトレイ１００２に収容された際に上部パネル１００７がそれが第２側部パネル１００３ｂから離れて延びるようにトレイ１００２内で下方に延びるように構成することができる。これは図１３に示されている。言い換えればパネル１００７はトレイ１００２の底部パネルに対して非平行に配置され、本例ではトレイ１００２の第２側部パネル１００３ｂから離れてトレイ１００２の底部パネル１２０１ａの方へとそしてトレイ１００２の第１側部パネル１００３ａの方へと延びるようになっている。この構成は上部パネル１００７が起立するのを制限するのに役立ち、従って取り付け可能なユニット３、２０３が使用の際にトレイ１００２から取り外されるときにパネル１００７を所定の位置に保持するのに役立つ。
【０１２６】
本例では中央突起部１２０６が矩形のセクション１２０４に隣接して配置されている。中央突起部１２０６は任意のものであり、トレイブランク１２００から省略してもよい。本例ではブランク１２００は、中央突起部１２０６の両側に等しい数の受け開口部１００５形成されるように構成されている。即ち、本例では中央突起部１２０６の各側に５つの受け開口部１００５が形成されている。
【０１２７】
本例では中央突起部１２０６は、３つの部分１２０６ａ、１２０６ｂ、１２０６ｃを含む。トレイを組み立てる際、中央突起部１２０６のこれら３つの部分１２０６ａ、１２０６ｂ、１２０６ｃは、中央突起部１２０６が組み立てられたトレイ１００２の第１および第２側部パネル１００３ａ、１００３ｂ上を延びた案内部材（図示せず）を形成するように折り曲げられる。
【０１２８】
案内部材は、スリーブ１００１に対して反力を供し、トレイ１００２をスリーブ１００１に対して移動させる際にトレイ１００２の底部パネルがスリーブ１００１の上部パネル１００１ａに対して平行な状態を維持するように構成されている。従って、パッケージ１０００が完全に開いた位置（即ち、この例ではトレイ１００２の長さの４０％がスリーブ１００１からスライドして出る)にあるとき、案内部材がトレイ１００２がスリーブ１０
０１に対して持ち上げられないようにする。本例では案内部材はスリーブ１００１の上部パネル１００１ａに対して反力を供するように構成されている。しかしながら、案内部材は、スリーブ１００１の異なる部分と係合するように構成してもよい。
【０１２９】
一部の構成ではパネル１２０２、１２０３は、トレイを組み立てる際、第１および第２側部パネル１００３ｂ、１００３ａそれぞれに固定してもよい。これは、例えば接着剤を用いて行ってもよい。
【０１３０】
トレイ１００２と取り付け可能なユニット３、２０３の断面を図１３に示す。この構成ではパネル１２０３は第１側部パネル１００３ａに固定されてなく、トレイ１００２内で内方に突出している。
【０１３１】
本例では把持機構はパネル１２０３を含む。パネル１２０３は、少なくとも部分的に弾性的に変位可能であり、従って本明細書中で説明したような取り付け可能なユニット３、２０３が対応する受け開口部１００５に挿入されると、弾性的に変形し、取り付け可能
なユニット３、２０３に付勢力を発生させる。この構成により取り付け可能なユニット３、２０３をよりしっかりとトレイ１００２内に保持することができる。本例ではパネル１２０３によって供される付勢力は、タブ１００６によって供される付勢力に対して追加的なものである。任意にタブ１００６はトレイ１００２から省略して、把持機構がパネル１２０３だけを含むようにしてもよい。
【０１３２】
種々の問題の対処と技術の発展のため、本開示全体は種々の実施形態を例示的に示しており、これらの実施形態では特許請求された発明が実践され、喫煙品用の取り付け可能なユニットのための優れたパッケージを提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2020125158.tif 000003
【図２】
2020125158.tif 000004
【図３】
2020125158.tif 000005
【図４】
2020125158.tif 000006
【図５ａ】
2020125158.tif 000007
【図５ｂ】
2020125158.tif 000008
【図６】
2020125158.tif 000009
【図７】
2020125158.tif 000010
【図８】
2020125158.tif 000011
【図９】
2020125158.tif 000012
【図１０】
2020125158.tif 000013
【図１１】
2020125158.tif 000014
【図１２】
2020125158.tif 000015
【図１３】
2020125158.tif 000016
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
取り付け可能なユニットが受けられる受け口または受け部と、
スリーブと、
このスリーブ内でスライド可能なトレイとを含み、
このトレイは前記受け口または受け部と複数の側部パネルとを含み、
スリーブは上部パネルを含み、トレイは、
底部パネルと、
トレイをスリーブ内でスライドさせるとスリーブに対して反力を供し、トレイの底部パネルをスリーブの上部パネルに対して実質的に平行になるように維持するように構成された案内部材とを含み、
前記複数の側部パネルの少なくとも１つの少なくとも一部はスリーブの側部パネルの高さの２０％〜８０％の高さを有する、喫煙品用の取り付け可能なユニットのためのパッケージ。
【請求項２】
受け口または受け部は、トレイの上部パネルに形成された凹部または切り欠きによって少なくとも一部が画定された受け開口部を含むことを特徴とする請求項１記載のパッケージ。
【請求項３】
上部パネルは、取り付け可能なユニットが受け口または受け部に受けられた際にトレイの底部パネルと平行になるように配置されることを特徴とする請求項２記載のパッケージ。
【請求項４】
上部パネルは、取り付け可能なユニットが受け口または受け部に受けられた際にトレイの底部パネルと非平行になるように配置されることを特徴とする請求項２記載のパッケージ。
【請求項５】
取り付け可能なユニットが受け口または受け部に受けられた際に取り付け可能なユニットを受け口または受け部内に解除自在に保持するための把持機構をさらに含むことを特徴とする請求項１乃至４いずれか１項記載のパッケージ。
【請求項６】
把持機構は、複数の側部パネルの内の少なくとも１つを含むことを特徴とする請求項５記載のパッケージ。
【請求項７】
前記少なくとも１つの側部パネルは、少なくとも部分的に弾性的に変位可能であり、使用時、受け口または受け部に受けられた際に取り付け可能なユニットに付勢力を供することを特徴とする請求項６記載のパッケージ。
【請求項８】
受け口または受け部は受け開口部を含み、把持機構は受け開口部に受けられた取り付け可能なユニットと係合するために受け開口部の縁部から延設されたタブを含むことを特徴とする請求項５乃至７いずれか１項記載のパッケージ。
【請求項９】
前記タブは少なくとも部分的に弾性的に変位可能であることを特徴とする請求項８記載のパッケージ。
【請求項１０】
前記タブは受け口が形成されるパネルを形成する材料から形成されることを特徴とする請求項８または９記載のパッケージ。
【請求項１１】
タブは受け開口部の周囲内の材料で形成されることを特徴とする請求項８、９または１０記載のパッケージ。
【請求項１２】
各受け開口部用に１〜６個のタブを含む、または各受け開口部用に４つのタブを含むことを特徴とする請求項８乃至１１いずれか１項記載のパッケージ。
【請求項１３】
把持機構は接着剤を含むことを特徴とする請求項５乃至１２いずれか１項記載のパッケージ。
【請求項１４】
前記部分の高さはスリーブの高さの４０％〜６０％であることを特徴とする請求項１記載のパッケージ。
【請求項１５】
前記スリーブは第１端部と第２端部とを含み、前記トレイは第１端部または第２端部のいずれかからスライドして出ることができることを特徴とする請求項１乃至１４いずれか１項記載のパッケージ。
【請求項１６】
請求項１乃至１５いずれか１項記載のパッケージを形成するための１つ以上のブランク。
【請求項１７】
前記または各受け部に受けられた取り付け可能なユニットを含み、この取り付け可能なユニットはユーザーによって喫煙品ロッドに取り付けられ、喫煙品ロッドによって発生するエアロゾルを変性することを特徴とする請求項１乃至１５いずれか１項記載のパッケージ。
【請求項１８】
請求項１乃至１５および１７いずれか１項記載のパッケージと複数の喫煙品ロッドとを含むキット。
【外国語明細書】
2020125158000001.pdf